(57)【要約】【課題】階間上方の外壁目地から浸入して階間水切を伝って下部に達した雨水を、階間下側外壁における縦目地の箇所に通し、外壁下端側で屋外に排出することを可能にする階間壁構造を提供する。【解決手段】階間壁構造１００においては、梁１０１が配置された階間部に階間水切１が設けられる。また、上記梁１０１の上側には上外壁パネル２が配置されており、上記梁１０１の下側には下外壁パネル３が配置されている。上記階間水切１は、外側面の下部に樋部１ａを有するとともに上記樋部１ａの底部に当該樋部１ａを通る水を下方に落とす貫通穴部１ｂを有する。上記階間水切１は、上記貫通穴部１ｂが上記下外壁パネル３における縦目地に配置された下側中空ガスケット５の上端開口の上方に位置するように配置される。【選択図】図１
2014095186.tif 000002
【特許請求の範囲】
【請求項１】
外側面の下部側に樋部を有するとともに上記樋部に当該樋部を通る水を下方に落とす貫通穴部を有した階間水切を、上記貫通穴部が階間下側外壁における縦目地に配置された下側中空ガスケットの上端開口に位置するように、階間部に配置したことを特徴とする階間壁構造。
【請求項２】
請求項１に記載の階間壁構造において、上記階間水切は、複数の階間水切本体部と、上記階間水切本体部を連結するジョイント部とからなり、上記ジョイント部に上記貫通穴部が形成されていることを特徴とする階間壁構造。
【請求項３】
請求項２に記載の階間壁構造において、上記ジョイント部として上記貫通穴部が形成されていない無穴ジョイント部を有し、上記無穴ジョイント部が位置する側を水上とし、上記貫通穴部が形成された上記ジョイント部が位置する側を水下とする水勾配を付けて上記階間水切本体部が設けられていることを特徴とする階間壁構造。
【請求項４】
請求項１〜請求項３のいずれか１項に記載の階間壁構造において、上記階間下側外壁の裏面に配置された上側下地板の上面側に水切板が設けられており、この水切板上に上記樋部が位置していることを特徴とする階間壁構造。
【請求項５】
請求項１〜請求項４のいずれか１項に記載の階間壁構造において、階間上側外壁における縦目地に設けられる上側中空ガスケットを通して水が上記階間水切に導かれることを特徴とする階間壁構造。
【請求項６】
請求項５に記載の階間壁構造において、上記上側中空ガスケットの下部の外側位置から上記樋部の内に至るシーリング下地部材が上記貫通穴部の上方位置に設けられていることを特徴とする階間壁構造。
【請求項７】
請求項５または請求項６に記載の階間壁構造において、上記階間水切の上部が上記上側中空ガスケットの下部裏側に位置することを特徴とする階間壁構造。
【請求項８】
請求項５〜請求項７のいずれか１項に記載の階間壁構造において、上記階間上側外壁の裏面に配置された下側下地板の表側に水切板が設けられていることを特徴とする階間壁構造。
【発明の詳細な説明】
【技術分野】
【０００１】
この発明は、階間水切を備えた階間壁構造に関する。
【背景技術】
【０００２】
特許文献１には、中空押出成形板を縦置き配列して形成される外壁の排水構造に於いて、水抜縦穴を有するバックアップ材を、水切板の下部垂下片の前面に一体的に取付固定した第１内水切板と、上部に横溝を有するバックアップ材を水切板の下部垂下片の前面に一体的に取付固定した第２内水切板とを前記外壁の横目地内に並列して取付けて構成した外壁の排水構造が開示されている。
【０００３】
また、特許文献２には、縦張りされた押出成形セメント板の縦目地と横目地との交差部に適用される押出成形セメント板の接合部止水構造が開示されている。具体的には、水切プレートが、水平片と起立片とからなる断面Ｌ字状で形成され、水切プレートの水平片が、縦目地を横断する位置で下側の押出成形セメント板と上側の押出成形セメント板との間に挟着され、上端を水平片の上面に開口させた排水管の下端が、下側の押出成形セメント板同士の間に形成される縦目地を貫通し外部へ開口したものとなっている。
【０００４】
ところで、階間部に階間水切を備えた階間壁構造が知られている。従来の階間壁構造では、上記階間水切の下端に樋部は形成されておらず、外壁目地のシール不良箇所やシール劣化箇所から浸入して上記階間水切の下端に達した雨水は階間下部の横目地箇所から外壁表面に導かれていた。
【先行技術文献】
【特許文献】
【０００５】
【特許文献１】特開平１１−２２９５４３号公報
【特許文献２】特開２００５−２１３８９４号公報
【発明の概要】
【発明が解決しようとする課題】
【０００６】
しかしながら、上記従来の階間壁構造では、外壁目地から浸入して上記階間水切に至りその下端に達した雨水を階間下部の横目地箇所から外壁表面に導くので、雨水の排水はできるけれども見栄えが悪いという欠点がある。また、強風時には屋外側から上記階間水切の側へと水が逆流するおそれがある。
【０００７】
この発明は、上記の事情に鑑み、階間上方の外壁目地から浸入して階間水切を伝って下部に達した雨水を、階間下側外壁における縦目地を用い、地上に近い位置で屋外に排出することを可能にする階間壁構造を提供することを課題とする。
【課題を解決するための手段】
【０００８】
この発明の階間壁構造は、上記の課題を解決するために、外側面の下部側に樋部を有するとともに上記樋部に当該樋部を通る水を下方に落とす貫通穴部を有した階間水切を、上記貫通穴部が階間下側外壁における縦目地に配置された下側中空ガスケットの上端開口に位置するように、階間部に配置したことを特徴とする。
【０００９】
上記の構成であれば、階間上方の外壁目地から浸入して階間水切を伝ってその下部に達した雨水を、上記樋部で受けて上記貫通穴部から上記下側中空ガスケット内に流し、地上に近い位置で屋外に排出することが可能になる。
【００１０】
上記階間水切は、複数の階間水切本体部と、上記階間水切本体部を連結するジョイント部とからなり、上記ジョイント部に上記貫通穴部が形成されていてもよい。これによれば、上記貫通穴部を有する階間水切を一体物で形成する場合に比べてコスト低減が図れる。
【００１１】
上記ジョイント部として上記貫通穴部が形成されていない無穴ジョイント部を有し、上記無穴ジョイント部が位置する側を水上とし、上記貫通穴部が形成された上記ジョイント部が位置する側を水下とする水勾配を付けて上記階間水切本体部が設けられていてもよい。これによれば、上記貫通穴部の配置間隔を長くする場合でも上記樋部内の水を円滑に上記貫通穴部に流すことができる。
【００１２】
上記階間下側外壁の裏面に配置された上側下地板の上面側に水切板が設けられており、この水切板上に上記樋部が位置していてもよい。これによれば、上記樋部から水が溢れてその下面に至ったとしても、上記水切板によって水が上記上側下地板にしみ込むのを防止することができる。
【００１３】
階間上側外壁における縦目地に設けられる上側中空ガスケットを通して水が上記階間水切に導かれるようにしてもよい。これによれば、当該階間壁構造が設けられた階間部に上層階の箇所で集められた雨水を導くことができる。
【００１４】
上記上側中空ガスケットの下部の外側位置から上記樋部の内に至るシーリング下地部材が上記貫通穴部の上方位置に設けられていてもよい。これによれば、上記貫通穴部からその上方にかけて階間部の縦目地のシーリングを行う場合に、このシーリングを上記シーリング下地部材によって適切に行うことができる。
【００１５】
上記階間水切の上部が上記上側中空ガスケットの下部裏側に位置してもよい。これによれば、上記上側中空ガスケットの下端から落ちる雨水を上記階間水切の上記外側面に垂らして上記樋部に導くことができる。
【００１６】
上記階間上側外壁の裏面に配置された下側下地板の表側に水切板が設けられていてもよい。これによれば、階間上方の外壁目地から浸入した雨水を上記下側下地板にしみ込ませずに上記水切板で上記階間水切へと導くことが可能になる。
【発明の効果】
【００１７】
本発明であれば、階間上方の外壁目地から浸入して階間水切を伝ってその下部に達した雨水を、上記樋部で受けて上記貫通穴部から上記下側中空ガスケット内に流し、地上に近い位置で屋外に排出することが可能になるという効果を奏する。
【図面の簡単な説明】
【００１８】
【図１】この発明の実施形態の階間壁構造の縦断面の説明図である。
【図２】図１の階間壁構造の部材配置を正面側から示した説明図である。
【図３】同図（Ａ）はジョイント部の正面図であり、同図（Ｂ）はシーリング下地部材の正面図であり、同図（Ｃ）は裏面上金具の正面図である。
【図４】図１の階間壁構造の概略の横断面図である。
【図５】図１の階間壁構造の施工段階を示した説明図である。
【図６】図１の階間壁構造の施工段階を示した説明図である。
【図７】図６の階間壁構造の施工段階の部材配置を正面側から示した説明図である。
【図８】図１の階間壁構造の施工段階を示した説明図である。
【図９】図８の階間壁構造の施工段階の部材配置を正面側から示した説明図である。
【図１０】図１の階間壁構造の施工段階を示した説明図である。
【発明を実施するための形態】
【００１９】
以下、この発明の実施の形態を添付図面に基づいて説明する。
図１および図２に示すように、この発明の実施形態の階間壁構造１００においては、梁１０１が配置された階間部の外側に断熱材１０２が設けられており、上記断熱材１０２の外側を塞ぐようにして階間水切１が設けられる。また、上記梁１０１の上側には階間上側外壁である上外壁パネル２が配置されており、上記梁１０１の下側には階間下側外壁である下外壁パネル３が配置されている。
【００２０】
上記階間水切１は、例えば防錆処理された金属板からなり、外側面の下部に樋部１ａを有するとともに上記樋部１ａの底部に当該樋部１ａを通る水を下方に落とす貫通穴部１ｂを有する。上記樋部１ａは、例えば、金属板の下端部を鉤状に折り曲げ加工することで形成されている。また、上記貫通穴部１ｂは、例えば、上記樋部１ａの底部から下方に突出する凸部内に形成された貫通穴からなり、当該貫通穴から水が上記樋部１ａの下面に裏漏りしにくいようになっている。また、上記階間水切１は、上記下外壁パネル３の上フレーム部３ａの外面側の位置から上方に出て上記梁１０１の側に曲げられた形状を有しており、この曲げ部位から上方に真っ直ぐ延びて上記上外壁パネル２の下側下地板２１の裏側に至っている。また、上記階間水切１の上端は、斜め内側に曲げられている。
【００２１】
また、上記階間水切１は、複数の階間水切本体部１１と、上記階間水切本体部１１を連結するジョイント部１２とからなる。上記階間水切本体部１１の長さは、例えば、９１０ｍｍ（１Ｐ）程度とされる。上記ジョイント部１における樋部１ａの底部に上記貫通穴部１ｂが形成されている。図３（Ａ）にも示すように、例えば、上記ジョイント部１２の裏面側の６カ所にナット部１２ａが設けられており、上記６カ所のナット部１２ａの配置に対応して上記階間水切本体部１１の両縁各３カ所に取り付け穴が形成されている。上記取り付け穴からボルトを差し込んで上記ナット部１２ａにねじ込むことで、上記階間水切本体部１１同士が連結される。上記階間水切本体部１１と上記ジョイント部１２とは部分的に重なり、上記樋部１ａも重なって連続したものとなる。上記樋部１ａの上記重なる箇所等には水の漏れを防止するシール材を設けてもよい。また、上記の重なりにおいては、上記ジョイント部１２の樋部１ａは上記階間水切本体部１１の樋部１ａの下側に位置する。
【００２２】
上記階間水切１の上部の外側面には、挟み板１３が設けられている。上記挟み板１３の下端には取り付け穴１３ａが形成されており、また、この取り付け穴１３ａに対応して上記階間水切本体部１１にも取り付け穴が形成されている。これら取り付け穴に挿通されたボルトにナットが装着されることにより上記挟み板１３が上記階間水切本体部１１に連結される。上記階間水切１の上端側と上記挟み板１３とで上記上外壁パネル２の下側下地板２１が挟まれる。
【００２３】
上記階間水切１は、上記貫通穴部１ｂが上記下外壁パネル３における縦目地に配置された下側中空ガスケット５の上端開口に位置するように配置される。なお、この実施形態では上記貫通穴部１ｂは上記下側中空ガスケット５の上端開口の上方に位置しているが、上端開口内に位置してもよい。また、上記上外壁パネル２における縦目地に配置された上側中空ガスケット４の下端開口が上記貫通穴部１ｂの上方に位置する。そして、上記階間水切１における上記ジョイント部１２の上部が上記上側中空ガスケット４の下部裏側に位置する。上記下側中空ガスケット５の外側および上記上側中空ガスケット４の外側には１次防水材としてシーリング材Ｓが現場施工される。上記中空ガスケット４、５は２次防水材として機能する。
【００２４】
上記上側中空ガスケット４の下部の外面側の位置から上記樋部１ａの内に至るシーリング下地部材６が上記貫通穴部１ｂの上方に位置するように設けられている。上記シーリング下地部材６は、図１においては点線で分かりやすく示している。上記シーリング下地部材６の下端部６ａは内側に曲げられている。また、図３（Ｂ）にも示しているように、上記シーリング下地部材６は、中央縦方向に補強凸部６ｂを有している。
【００２５】
上記上外壁パネル２の上記下側下地板２１の表側には、例えば平板状の水切板２２が設けられている。この水切板２２の上部は上記上外壁パネル２と上記下側下地板２１とに挟まれるように配置されている。
【００２６】
上記下外壁パネル３の上側下地板３１の上面側に水切板３２が設けられている。この水切板３２は、例えば、上記下外壁パネル３の上フレーム３ａの外面側に位置する内側垂直部と、この内側垂直部の下端に位置する水平部と、この水平部の外側端から垂直方向に垂下して上記上側下地板３１の外側に位置する外側垂直部とからなり、当該水切板３２の上記水平部上面に上記樋部１ａの下面が位置している。
【００２７】
上記階間水切１の下部側は上記水切板３２の上記内側垂直部の外側に位置しており、当該下部側はビス１５によって、上記下外壁パネル３の上フレーム部３ａに固定される。
【００２８】
胴差面材７の裏面上部には、例えば４個の裏面上金具７１がそれぞれ２個のビス７２によって固定されている。上記裏面上金具７１には、図３（Ｃ）にも示しているように、上端部に取り付け穴７１ａが形成されており、この取り付け穴７１ａに挿通したビス７３によって胴差面材７の上部は、上記上外壁パネル２の上記下側下地２１に固定される。
【００２９】
また、胴差面材７の裏面下部には、横に長い裏面下金具７４が上記シーリング下地部材６に干渉しない配置でビス７５によって固定されている。上記裏面下金具７４の上端は内側下向きに曲げられている。また、上記裏面下金具７４には、下端部に取り付け穴７４ａが形成されており、この取り付け穴７４ａに挿通したビス７６によって胴差面材７の下部は、上記下外壁パネル３の上側下地板３１に固定される。
【００３０】
図４に示すように、上記上外壁パネル２の縦目地には、柱８の外側となる位置において上記上側中空ガスケット４が配置される。上記柱８に接する側の上記上側中空ガスケット４の内側シール面は横幅が広く形成されており、上記上外壁パネル２の下地板と上記柱８の外側面との間に挟まり込んでいる。上側中空ガスケット４の外側シール面は上記上外壁パネル２の裏面に接している。そして、上記縦目地の位置の上側中空ガスケット４の外側面にシーリング材Ｓが施される。なお、上側中空ガスケット４は例えば上記内側シール面に設けた両面テープで上記柱８に接着される。また、このような構造と同様の構造で、上記下外壁パネル３の縦目地および上記下側中空ガスケット５等が配置される。
【００３１】
図５〜図１０は階間壁構造１００の施工工程を示している。図５および図６に示すように、上記上外壁パネル２および上記下外壁パネル３が取り付けられた状態の階間部に、上記階間水切１をビス１５にて固定する。上記挟み板１３と上記階間水切本体部１１との連結は施工時には緩くされており、上記上外壁パネル２の下側下地板２１に上記階間水切１の上部を容易に嵌め込むことができる。
【００３２】
上記階間部に上記階間水切１をビス１５にて固定した状態の正面視は、図７のように表される。
【００３３】
次に、図８に示すように、上記シーリング下地部材６を配置する。この状態の正面視は図９のように表される。そして、上記シーリング下地部材６の外側から胴差面材７をビス７３およびビス７６により取り付ける。
【００３４】
以上説明したように、階間壁構造１００は、上記樋部１ａおよび上記貫通穴部１ｂを有した上記階間水切１を、上記貫通穴部１ｂが下外壁パネル３における縦目地に配置された下側中空ガスケット５の上端開口の上方に位置するように、階間部に配置したので、階間上方の外壁目地から浸入して階間水切１を伝って下部に達した雨水を、上記樋部１ａで受けて上記貫通穴部１ｂから上記下側中空ガスケット５内に流し、下外壁パネル３における縦目地の箇所に通して外壁下端側で屋外に排出することが可能になる。
【００３５】
上記ジョイント部１２とからなり、上記ジョイント部１２に上記貫通穴部１ｂが形成されていると、階間水切１を一体物で形成する場合に比べてコスト低減が図れる。
【００３６】
また、上記下外壁パネル３の裏面に配置された上側下地板３１の上面側に水切板３２が設けられており、この水切板３２上上記樋部１ａが位置していると、上記樋部１ａから水が溢れてその下面に至ったとしても、上記水切板３２によって水が上記上側下地板３１にしみ込むのを防止することができる。
【００３７】
また、上記上外壁パネル２における縦目地に設けられる上側中空ガスケット４を通して水が上記階間水切に１導かれると、当該階間壁構造１００が設けられた階間部に上層階の外壁あるいは他の階間部で集められた雨水を導くことができる。もちろん、上記他の階間部も上記階間壁構造１００を有していてもよい。
【００３８】
また、上記上側中空ガスケット４の下部の外側位置から上記樋部１ａの内に至る上記シーリング下地部材６が上記貫通穴部１ｂの上方に設けられていると、上記貫通穴部１ｂからその上方にかけて階間部の目地シーリングを行う場合に、このシーリングを上記シーリング下地部材６によって適切に行うことができる。
【００３９】
また、上記階間水切１の上部が、上記上側中空ガスケット４の下部裏側に位置していると、上記上側中空ガスケット４から落ちる雨水を上記階間水切１の上記外側面に垂らして上記樋部１ａに確実に導くことができる。
【００４０】
また、上記上外壁パネル２の裏面に配置された下側下地板２１の表側に水切板２２が設けられていると、階間上方の外壁目地から浸入した雨水を上記下側下地板２１にしみ込ませずに上記水切板２２で上記階間水切１に導くことができる。
【００４１】
ところで、上記階間水切本体部１１の横長さを９１０ｍｍ×２（２Ｐ）程度として上記貫通穴部１ｂの配置間隔を長くする構成としたのでは、上記樋部１ａを水が円滑に流れないおそれがある。そこで、上記貫通穴部１ｂが形成されていない無穴ジョイント部を有し、上記無穴ジョイント部が位置する側を水上とし、上記貫通穴部１ｂが形成された上記ジョイント部１２が位置する側を水下とする水勾配を付けて上記階間水切本体部１１が設けられるようにしてもよい。これによれば、上記貫通穴部１ｂの配置間隔が長くなる場合でも上記樋部１ａ内の水を円滑に上記貫通穴部１ｂに流すことができる。
【００４２】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００４３】
１      階間水切
１ａ    樋部
１ｂ    貫通穴部
１１    階間水切本体部
１２    ジョイント部
１３    挟み板
２      上外壁パネル（階間上外壁）
２１    下側下地板
２２    水切板
３      下外壁パネル（階間下外壁）
３１    上側下地板
３２    水切板
４      上側中空ガスケット
５      下側中空ガスケット
６      シーリング下地部材
７      胴差面材
１００  階間壁構造
【図１】
2014095186.tif 000003
【図２】
2014095186.tif 000004
【図３】
2014095186.tif 000005
【図４】
2014095186.tif 000006
【図５】
2014095186.tif 000007
【図６】
2014095186.tif 000008
【図７】
2014095186.tif 000009
【図８】
2014095186.tif 000010
【図９】
2014095186.tif 000011
【図１０】
2014095186.tif 000012